(57)【特許請求の範囲】
【請求項１】
特定の周波数の発振周波数信号を供給する電圧コントロール発振器と、
前記発振周波数信号をＮ分周して送信周波数の信号を生成するＮ分割回路と、
データ信号と前記Ｎ分割回路で生成された信号とを結合して、前記送信周波数の出力信号を供給するミキサーと、を備えた送信回路と、
前記出力信号を受信し、増幅出力信号を供給する電力増幅装置であり、前記特定の周波数の高調波を発生させる電力増幅装置と、
前記特定の周波数の位置に減衰極が形成された周波数応答特性を有し、前記送信周波数を有する前記出力信号を通過させ、前記電力増幅装置で発生した前記特定の周波数の前記高調波が前記送信回路の前記電圧コントロール発振器に戻るのを防ぐ高調波トラップと、
を備えることを特徴とするワイヤレス装置。
【請求項２】
前記特定の周波数は、前記送信周波数のＮ倍であることを特徴とする請求項１に記載のワイヤレス装置。
【請求項３】
前記送信回路は、前記ミキサーで結合された信号が入力されて前記電力増幅装置に前記出力信号を供給するプレドライバー／増幅部を備え、
前記高調波トラップは、前記プレドライバー／増幅部と前記電力増幅装置の間で前記出力信号と直列に設けられたことを特徴とする請求項１に記載のワイヤレス装置。
【請求項４】
前記高調波トラップは、前記送信回路と前記電力増幅装置の間の出力信号の経路に位置する個別装置であることを特徴とする請求項１に記載のワイヤレス装置。
【請求項５】
前記高調波トラップは前記送信回路と一体化されていることを特徴とする請求項１に記載のワイヤレス装置。
【請求項６】
前記高調波トラップは前記電力増幅装置と一体化されていることを特徴とする請求項１に記載のワイヤレス装置。
【請求項７】
前記高調波トラップは受動回路であることを特徴とする請求項１に記載のワイヤレス装置。
【請求項８】
前記受動回路は、前記特定の周波数で前記高調波を減衰する効果のある周波数応答性を持つように構成されたコンデンサを備えることを特徴とする請求項７に記載のワイヤレス装置。
【請求項９】
前記受動回路は、前記特定の周波数で前記高調波を減衰する効果のある周波数応答を持ち、互いに並列接続されて選択的に使用可能となる一組のコンデンサを備えることを特徴とする請求項７に記載のワイヤレス装置。
【請求項１０】
前記高調波トラップは能動回路であることを特徴とする請求項１に記載のワイヤレス装置。
【請求項１１】
前記送信回路と前記電力増幅装置はプリント回路板にはんだ付けされ、前記高調波トラップは分布伝送線として前記プリント回路板に組み込まれていることを特徴とする請求項１に記載のワイヤレス装置。
【請求項１２】
電力増幅装置に出力信号を供給する無線送受信機であり、
特定の周波数の発振周波数信号を供給する電圧コントロール発振器と、
前記発振周波数信号をＮ分周して送信周波数の信号を生成するＮ分割回路と、
データ信号と前記Ｎ分割回路で生成された信号とを結合して、前記送信周波数の出力信号を供給するミキサーと、を備えた送信部コアと、
前記特定の周波数の位置に減衰極が形成された周波数応答特性を有し、前記送信周波数の出力信号を通過させ、前記電力増幅装置で発生した前記特定の周波数の高調波が前記送信部コアの前記電圧コントロール発振器に戻るのを防ぐ高調波トラップと、
を備えることを特徴とする無線送受信機。
【請求項１３】
前記特定の周波数は前記送信周波数のＮ倍であることを特徴とする請求項１２に記載の無線送受信機。
【請求項１４】
前記高調波トラップは受動回路であることを特徴とする請求項１２に記載の無線送受信機。
【請求項１５】
前記高調波トラップは能動回路であることを特徴とする請求項１２に記載の無線送受信機。
【請求項１６】
送信回路から受信された出力信号に対応する増幅信号を供給する電力増幅装置であり、
前記送信回路は、特定の周波数の発振周波数信号を供給する電圧コントロール発振器と、前記発振周波数信号をＮ分周して送信周波数の信号を生成するＮ分割回路と、データ信号と前記Ｎ分割回路で生成された信号とを結合して、前記送信周波数の出力信号を供給するミキサーと、を備え、
前記増幅信号を発生させるために前記出力信号を受信する増幅回路であり、前記特定の周波数の高調波を発生させる増幅回路と、
前記特定の周波数の位置に減衰極が形成された周波数応答特性を有し、前記送信周波数の出力信号を通過させ、前記増幅回路で発生した前記特定の周波数の高調波が前記送信回路の前記電圧コントロール発振器に戻るのを防ぐ高調波トラップと、を備えることを特徴とする電力増幅装置。
【請求項１７】
前記特定の周波数は前記送信周波数のＮ倍であることを特徴とする請求項１６に記載の電力増幅装置。
【発明の詳細な説明】
【技術分野】
【０００１】
本発明は、概してワイヤレスコミュニケーションに関する。具体的には、本発明は送信機能を持つワイヤレス装置に関する。
【背景技術】
【０００２】
ワイヤレス装置は長年にわたり音声とデータのモバイル通信を可能にするために利用されてきた。それらの機器とは、例えば、携帯電話、ワイヤレスで使用可能な個人情報端末（PDA）などである。図１は、それらワイヤレス装置の中心的構成要素の一般的なブロック図である。ワイヤレスコア１０は、ワイヤレス装置のアプリケーション固有の機能を制御し、また無線（RF）送受信チップ１４へ音声あるいはデータ信号を送受信するためのベースバンドプロセッサ１２を備える。RF送受信チップ１４は、送信信号の周波数アップコンバージョンと、受信信号の周波数ダウンコンバージョンを担う。RF送受信チップ１４は、基地局又はほかのモバイル機器から送信された信号を受信するためのアンテナ１８に接続されている受信部コア１６と、そのアンテナ１８を通じて信号を送信するための送信部コア２０を備える。当業者は、図１は単純化されたブロック図であり、適切な操作及び機能を作動させるためにはその他の機能ブロックを含む必要がある場合もあることを理解するだろう。例えば、ワイヤレス装置１０は、送信部コア２０からの信号を増幅させるための電力増幅装置、またアンテナ１８を通じて受信した信号を増幅させるための低雑音増幅装置を備えることもある。
【０００３】
一般的に、送信部コア２０は、送信のためにベースバンドからより高い周波数への電磁信号のアップコンバートすることを担い、一方、受信部コア１６は、受信部に達する時これら高周波数をそれらの元の周波数域へ戻すダウンコンバートすることを担い、これらの過程はそれぞれアップコンバージョン、ダウンコンバージョンとして知られている。その元の（又は、ベースバンドの）信号とは、例えば、データ、音声、映像である。これらのベースバンドの信号は、マイクロフォン、ビデオカメラ、などの変換機によって作り出されたり、コンピューターによって生み出されたり、又は電気的記憶装置から転送されてもよい。一般的に、高周波数はベースバンド信号よりも長域であり高容量のチャンネルを提供し、高周波数無線（RF）信号は空気中を伝播できるので、それらは配線又はファイバーチャンネルと共にワイヤレス送信に好んで利用される。
【０００４】
これらの信号全ては、概して無線（RF：Radio Frequency）信号と称され、電磁信号である。つまり、無線波伝搬に通常伴う電磁スペクトル内で電気的及び磁気的な性質を持つ波形のことである。
【０００５】
図２は、送信部コアとそのアンテナ１８への出力経路の更なる詳細を示す概念図である。送信経路は、送信部コア２０と電力増幅装置２２とアンテナ１８を備える。送信部コア２０は、電圧コントロール発振器（VCO）３０とN分割回路３２とミキサー３４とプレドライバー／増幅部３６を備える。一般的に、VCO３０は、プレドライバー／増幅部３６によって供給される出力周波数の倍数である発振周波数信号を提供するように設定されている。例えば、プレドライバー／増幅部３６の出力周波数がｆTの場合、VCOは４ｆTで駆動できる。N分割回路３２がそのVCO信号を受信し、ミキサー３４に送るためにN、この例ではN=４、により分割する。ミキサー３４は、ｆT での出力信号を発生させるために、ベースバンドプロセッサからのデータ信号BBoutを結合させ、それはアンテナ１８を通して送信するために電力増幅装置２２に供給される。
【０００６】
RＦ送受信機１４と、特にVCO３０とN分割回路３２と送信部コア２０とミキサー３４の一例である構造は、直接変換構造として知られている。この直接変換構造は、例えばGSM／GMSK規格などの複数の規格のもとで、狭帯域信号を発生させる汎用性がある。これは、同じ回路が異なる狭帯域規格に利用することができるので汎用性があり、よってマルチモードRＦ送受信機を大幅に単純化できる。もちろん、それぞれの規格には、送信仕様のように、モバイル機器が満たす、もしくは超えなければならない仕様がある。GSM規格に対する一つの仕様は、隣接する又次に隣接するチャンネルでの送信操作中のワイヤレス装置により発生する雑音の許容量である。残念なことに、直接変換送信部コア構造の問題点は、VCOの位相雑音に影響する高調波摂動の影響を受けやすいことである。
【０００７】
実験を通して、その非線形特性により、電力増幅装置２２はｆTでの出力信号に応じて高調波を発生させるということが発見された。特に、それら高調波のひとつは、４ｆT（ｎｆT）に位置し、図示されるように、リーク経路３８を経て送信部コア１４とVCO３０に戻りリークする。この高調波妨害は、VCO３０にリークし、VCOの相違雑音を劣化させ、順に電力増幅装置２２へ向けた出力信号の下流向きの生成を劣化させる。この性能劣化は図３の雑音（ｄB）と周波数（ｆ）のグラフで示されている。
【０００８】
図３では、電力増幅装置２２からの理想的な出力応答が曲線５０として描かれている。ｆTでの望しい信号は高パワまたは低損失であるべきであるが、側波帯は最少にパワが抑えられているべきである。あるワイヤレスの規格では、ｆT−Δｆ以下及びｆT＋Δｆ以上に位置する信号の最高パワはMax_dBを超えてはならないということが要求される場合もある。ΔｆとMax_dB の実際の仕様は、利用される規格によって異なる。一例として、Max_dB は−６０ｄBであり、Δｆは４００ｋHzである。しかしながら、電力増幅装置２２からVCO３０への高調波雑音のリークにより、信号のスペクトル純度は低くなり、結果として曲線５２の劣化した出力応答となる。ここで、Δｆが変調周波数補正値であるとき、ｆT−Δｆ及びｆT＋ΔｆでのパワはMax_dBよりも大きなレベルとなる。送受信機がこの劣化を埋め合わせる十分な余裕を与えない場合は、その機器は要求される仕様を満たさないということになる。電力増幅装置から発生する高調波は４ｆT に限られてはおらず、送信部コアの直接変換構造に依存して、ｎが高調波の位数である場合、どんな周波数ｎｆTでもよい。
【０００９】
スペクトルの劣化には他の原因もあるかもしれないが、電力増幅装置２２による高調波の発生により起こる劣化に比べるととるに足らない。よって、出力信号のスペクトル純度を保持するためには、電力増幅装置による高調波に影響されないワイヤレス装置を提供することが望ましい。 
【発明の開示】
【課題を解決するための手段】
【００１０】
本出願の目的は、過去の電源除去回路の少なくとも一つの不利点を防ぐ又は軽減させることである。
【００１１】
第一の態様において、本発明はワイヤレス装置を提供する。ワイヤレス装置は、送信回路、電力増幅装置、高調波トラップを備える。送信回路はある送信周波数で出力信号を供給する。電力増幅装置は出力信号を受信し、増幅出力信号を供給し、その結果、この電力増幅装置はある特定の周波数の高調波を生成する。高調波トラップは、その送信周波数の出力信号は通過させ、高調波がその送信回路に入ることは妨ぐ。
【００１２】
本実施態様においては、その特定の周波数は送信周波数の整数倍であり、高調波トラップは送信回路と電力増幅装置の間の出力信号の経路に位置する個別装置でもよく、その高調波トラップは送信回路又は電力増幅器と一体化されてもよい。
【００１３】
本態様のさらなる実施例においては、高調波トラップは、特定の周波数でその高周波を弱める効果のある周波数応答を持つように構成されたコンデンサを備える受動回路である。あるいは、受動回路は、特定の周波数でその高周波を弱める効果のある周波数応答を持ち互いに並列接続されて選択的に使用可能となる一組のコンデンサを備える。あるいは、高調波トラップは能動回路である。また、ほかの実施例では、送信回路と電力増幅装置はプリント回路板にはんだ付けされ、高調波ラップは分布伝送線としてそのプリント回路板に組み込まれている。
【００１４】
第２の態様において、本発明は、電力増幅装置に出力信号を供給する無線送受信機を提供する。その無線送受信機は、送信部コアと高調波トラップを備える。送信部コアは、ある送信周波数でその出力信号を生成する。高調波トラップは、その送信周波数の出力信号を通過させ、電力増幅装置によって発生される高調波が送信部コアに入るのを抑制する。本実施態様において、その特定の周波数はその送信周波数の整数倍であり、高調波トラップは受動回路又は能動回路である。
【００１５】
第３の態様において、本発明は、送信回路から受信された出力信号に対応して、増幅信号を提供する電力増幅装置を提供する。電力増幅装置は、増幅回路と高調波トラップを備える。増幅回路は、増幅信号を生成するために出力信号を受信し、増幅回路はある特定の周波数で高調波を生成する。高調波トラップは、ある送信周波数の出力信号を通過させ、高調波がその送信回路に入るのを妨ぐ。本態様において、その特定の周波数はその送信周波数の整数倍である。
【００１６】
本出願の他の態様また特徴は、添付されている図と共に以下の本発明の実施例の記載を検討することにより当業者には明らかとなる。
【実施例】
【００１７】
概して、本発明は、高スペクトル純度の出力信号を有するワイヤレスシステムを提供する。このワイヤレスシステムは、出力信号を供給する送信回路と、アンテナによるワイヤレス送信のために出力信号を増幅する電力増幅装置を備える。送信回路と電力増幅装置の間の出力信号に沿って配置される高調波トラップは、電力増幅装置で生成された所定の周波数帯域内の高調波がその送信回路にリークするのを妨ぐことができるように設定されている。高調波トラップは個別装置として実装されてもよく、または送信回路と一体化されてもよく、または電力増幅装置と一体化されてもよい。高調波が送信回路にリークすることを妨ぐことにより、送信回路の性能の劣化が抑えられる。
【００１８】
図４は、本発明の実施例におけるワイヤレスシステム１００の送信経路の概念図である。ワイヤレスシステム１００は、例えばRF送受信機などのように受信経路と送信経路を両方有してもよく、又は単に送信経路のみでもよい。ワイヤレスシステム１００は、携帯電話又は無線通信機能を有する機器の一部とすることができる。当業者は、送信経路機能を作動させるためにはその他の回路も必要であるかもしれないが、本出願の実施例にそれらは関係ないため、概念図を単純化するために図示していないと理解するだろう。ここで図示されている送信経路は、送信回路１０２、高調波トラップ１０４、電力増幅装置１０６、およびアンテナ１０８を備える。送信経路の構成要素の一般的な機能は以下でさらに詳細に説明される。
【００１９】
送信回路１０２は、ベースバンド信号データを受信し、それをある特定の通信規格、例えばGSM、に望ましい送信RF周波数ｆTで変換する。変換された出力信号はD_OUTと称される。送信回路１０２は、RF送受信機の直接変換送信機コアとすることができ、図２の送受信機コア２０に示される構成要素に対応する構成要素を備える。高調波トラップ１０４は、送信回路１０２と電力増幅装置１０６の間に出力信号D_OUTと直列に接続される。高調波トラップ１０４は、ｆTでD_OUTが通過するように設定された双方向回路であるが、ある特定域の周波数が通過するのを防ぐ。この文脈では、“防ぐ”とは信号の通路を塞ぐ、又は信号を減衰するということである。さらに具体的には、高調波トラップ１０４は、その特定の周波数で高調波のパワを低減するための特定の応答を有するフィルターとして働く。高調波トラップ１０４の特性は、送信回路１０２のある特定の直接変換構造の実装形態と電力増幅装置１０６により発生した高調波の理解に基づき調整することができる。
【００２０】
電力増幅装置１０６は、送信回路１０２によって供給されたD_OUT信号を増幅するために使われる標準的な構成要素である。この増幅された信号は、ワイヤレス送信のためにアンテナ１８に供給される。上記のように、電力増幅装置１０６は、高調波が送信回路１０２に戻ってリークするため、送信回路１０２の性能を劣化させる可能性のある高調波発生源として認識されてきた。電力増幅装置１０６により発生するもっとも有害である高調波は主にｎｆT、ただしｎはN分割回路３２のようなN分割回路の分割比率、なので、高調波を防ぐための高調波トラップ１０４の構造はｎｆTに対して設定される。図４に図示されるように、電力増幅装置１０６はｎｆT高調波を発生させ続け、それは送信回路１０２とVCOへ向けて経路１１０を通過する。しかしながら、高調波トラップ１０４のため、有害な高調波が送信回路１０２又はVCOへ入るのは防がれる。
【００２１】
一旦電力増幅装置１０６により発生する高調波がｎｆTとわかれば、送信回路１０２から高調波が戻りリークするのを防ぐために、公知技術によりさまざまな受動あるいは能動回路を作成することができる。図５には、高調波トラップ１０４の周波数（ｆ）に対する減衰応答曲線が示されている。図５に示されるように、ｆTでのパワは高調波トラップを通じて低損失で通過するが、ｎｆTでのパワ信号は、ゼロ、もしくは送信回路１０２の機能を劣化させるのには不十分なごくわずかな値にまで落ちる。図５の応答特性を有するどんな受動又は能動回路も、ワイヤレスシステムに対し同様な結果を得る。
【００２２】
図４の実施例はワイヤレスシステム１００の送信経路の実装を図解する。多くの場合、送信回路１０２と電力増幅装置１０４とアンテナは、一緒に組立てられ、プリント回路版（PCB）にはんだ付けされており、それぞれは個別の装置であるか、又は装置の集合体である。たとえば、送信回路１０２はRF送受信チップの一部となることができ、また、電力増幅装置１０２はそれ自身のチップ上に組立てられることができる。図６及び図７に示される他の実施例においては、高調波トラップは送信回路１０２または電力増幅装置１０４と一体化されている。
【００２３】
図６は、本発明の一実施例におけるワイヤレスシステム２００の送信経路の概念図である。ここで図示される送信経路は、送信回路２０２と電力増幅装置２０４とアンテナ２０６を備える。電力増幅装置２０４とアンテナ２０６は、図４の電力増幅装置１０６とアンテナ１０８と同様である。送信回路２０２は概してデータを、例えばベースバンドプロセッサなどのアップストリーム回路から受信し、そのデータを指定されたフォーマットに周波数転送ｆTで変換する。ここで示されている送信回路２０２は、電力増幅装置２０４により発生した高調波がその性能を劣化させるのを防ぐ。送信回路２０２の詳細はさらに詳しく以下に述べられる。
【００２４】
送信回路２０２は、VCO２１０とN分割回路２１２とミキサー２１４とドライバー／増幅部２１６などの直接変換回路を備える。これらの構成要素は、図２に示されているそれぞれの回路と同様でよい。この実施例においては、高調波トラップ２１８はドライバー／増幅部２１６の出力を通過させるために、直接変換回路と同じチップ上に一体化される。出力信号D_OUTは高調波トラップ２１８の出力から電力増幅装置２０４へ供給される。電力増幅装置２０４はｎｆTで高調波を発生させ続け、それは経路２２０を通り送信回路２０２へと通過する。しかしながら、直接変換回路、つまりドライバー／増幅部２１６と電力増幅装置２０４の間の出力信号に直列に配置された高調波トラップ２１８を有するため、高調波がどの直接変換回路に達するのも防がれる。一体化された高調波トラップ２１８は、ｎｆTで信号が通過するのを防ぐように設定された受動又は能動回路として実装される。
【００２５】
図７は、本発明のもう一つの実施例におけるワイヤレスシステム３００の送信経路の概念図である。ここで図示される送信経路は、送信回路３０２と電力増幅装置３０４とアンテナ３０６を備える。送信回路３０２とアンテナ３０６は、図２の送信回路２０とアンテナ１８と同様である。送信回路２０の構成要素は、図２のそれらと同様に符号がつけられる。図６に図示されるように送信回路と一体化するかわりに、高調波トラップ３０８は電力増幅装置３０４と同じチップ上に一体化され、送信回路３０２と電力増幅装置３０４の電力増幅回路の間の出力信号D_OUTに直列に配置される。ここで、電力増幅回路はｎｆTで高調波を発生させ、これらは高調波トラップ３０８により減衰される。従って、高調波は送信回路３０２、特にVCOへは、決して大出力では戻ってリークしない。
【００２６】
上記で述べられているワイヤレスシステムの図４、６、７の実施例は、高調波トラップの可能なシステムレベルの実装について示している。図６と７の実施例の利点は、個別の高調波トラップが不要なため、PCB領域が縮小できることである。さて、図８、９では、図４、６、７のワイヤレスシステムの実施例で使用可能な高調波トラップの実施例を図示している。
【００２７】
図８は、高調波トラップの一般的な実装例を図示している。高調波トラップ４００はコンデンサ４０２を備え、それは、送信回路と電力増幅装置の間、直接変換回路と電力増幅装置の間、又は送信回路と電力増幅装置の電力増幅回路の間の信号線に接続しているターミナルを有する。どの場合でも、コンデンサ４０２は、送信周波数ｆT（DATA_ｆT）でデータを運ぶ信号線に接続されている。コンデンサ４０２の他のターミナルは接地されている。当業者は、コンデンサ４０２のパラメーターと寄生的で受動的な機能劣化は、ある特定の周波数の第一の範囲は通過される一方、第一の範囲より高い周波数の第二の範囲は回路を通らないよう遮断または減衰させ、所望の応答を得るように調節することができると理解するだろう。より具体的には、本発明の実施例の高調波トラップ４００は、第二の範囲の周波数の高調波が送信回路に戻るのを防ぐ。
【００２８】
図８の高調波トラップの実施例は、電力増幅装置によって発生した高調波が送信回路へ戻ってリークすることを防ぐよう設定された受動回路の一例である。当業者は、高調波の周波数が判明したら、その通路を防ぐようにどんな受動回路も設定できると理解するだろう。周知の構造を持つ能動回路と受動部も、同様な効果があり利用することができる。一つのコンデンサ４０２が図示されているが、コンデンサ４０２は互いに並列接続された一組のコンデンサとして実装されてもよい。さらに、それぞれのコンデンサは、例えばヒューズなどのようにプログラムで制御できるレジスタ、または不揮発性のプログラミング手段によりコントロールされた単純なスイッチ式の方法により、選択的にその応答を有効及び無効に変えることができる。従って、周波数応答は、システムの機器の特定の配置、構造、機器に対し、テスト段階でカスタマイズすることができる。
【００２９】
図６及び７の送信経路の実施例は、他の回路内の高調波トラップの一体化について図示しており、高調波トラップは受動又は能動的部品のどちらとして実装してもよい。もう一つの実施例においては、高調波トラップはPCB自体と一体化している。図９は、送信回路６０２と高調波トラップ６０４と電力増幅装置６０６とアンテナ６０６を備えるワイヤレスシステム６００が図示されている概念図である。この実施例は、受動的装置を必要としないが、PCBの分散送信線を使用する。このワイヤレスシステムでは、送信回路６０２と電力増幅装置６０６はPCB６１０に固定されている。PCBは少なくとも２つの層を有し、それらの層の間にさまざまな装置を相互に接続するための導体線が通っている。送信回路６０２の出力と電力増幅装置６０６の入力は送信線によって繋がっている。この導体線は図５に示されるように応答するように設計できる分布分岐導体線６１２を有するとしてもよい。
【００３０】
本発明の実施例に示されるように、送信回路と電力増幅装置の間に直列接続された高調波トラップは、電力増幅装置により発生した高調波が送信回路に戻ることを防ぐことに有効である。高調波トラップは個別装置として実装されることも、PCBの領域を節約するために送信回路または電力増幅装置と一体化されることもできる。
【００３１】
本発明の上記に述べられた実施例は、単に例であることを意図されている。当業者によって、ここに添付されている請求項のみにより定義された発明の範囲を逸脱せず、個々の実施例に改正、変更、修正などを行なってもよい。
【図面の簡単な説明】
【００３２】
さて、本発明の実施例を、添付されている図を参照として、例示のためのみの目的でこれから述べる。
【図１】ワイヤレス装置の中心的構成要素のブロック図。
【図２】先行技術のワイヤレス装置の、送信経路の概念図。
【図３】図２の送信経路により発生させられた出力信号の出力と周波数のグラフ。
【図４】本発明の実施例による個別高調波トラップを備える送信経路の概念図。
【図５】図４に示される高調波トラップの応答曲線。
【図６】本発明の実施例による送信回路と一体化している高調波トラップを備える送信経路の概念図。
【図７】本発明の実施例による送信回路と一体化している電力増幅装置を備える送信経路の概念図。
【図８】本発明の実施例による高調波トラップの概念図。
【図９】PCBと一体化している高調波トラップと備える送信経路の概念図。
【符号の説明】
【００３３】
１０       ワイヤレスコア
１２       ベースバンドプロセッサ
１４       送受信チップ
１６       受信部コア
１８       アンテナ
２０       送信部コア
２２       電力増幅装置
３０       電圧コントロール発振器（VCO）
３２       N分割回路
３４       ミキサー
３６       プレドライバー／増幅部
３８       リーク経路
５０       曲線
５２       曲線
１００    ワイヤレスシステム
１０２    送信回路
１０４    高調波トラップ
１０６    電力増幅装置
１０８    アンテナ
１１０    経路
２００    ワイヤレスシステム
２０２    送信回路
２０４    電力増幅装置
２０６    アンテナ
２１０    VCO
２１２    N分割回路
２１４    ミキサー
２１６    ドライバー／増幅部
２１８    高調波トラップ
２２０    経路
３００    ワイヤレスシステム
３０２    送信回路
３０４    電力増幅装置
３０６    アンテナ
３０８    高調波トラップ
４００    高調波トラップ
４０２    コンデンサ
６００    ワイヤレスシステム
６０２    送信回路
６０４    高調波トラップ
６０６    電力増幅装置
６０８    アンテナ
６１０    PCB
６１２    分布分岐導体線
【図１】
0004904319.tif 000002
【図２】
0004904319.tif 000003
【図３】
0004904319.tif 000004
【図４】
0004904319.tif 000005
【図５】
0004904319.tif 000006
【図６】
0004904319.tif 000007
【図７】
0004904319.tif 000008
【図８】
0004904319.tif 000009
【図９】
0004904319.tif 000010